(57)【要約】【課題】不快感を与えずにスキミングを防止することができる。【解決手段】磁気読取部２にカード１が挿入されるカード挿入口２ａを有し、ガイド部３は、カード１の一辺が挿入方向Ｂに摺動されてカード１をカード挿入口２ａに案内し、保護部４は、カード挿入口２ａのカード１の主面側の側部であって、内部にカード１が搬送される際に磁気記録媒体１ａが通過する位置に設けられ、規制部５は、磁気記録媒体１ａの挿入方向Ｂの先端部１ａａ近傍が保護部４に被されるようにカード１を規制する。これにより、スキミング装置６をカード挿入口２ａに設置できなくなる。また、スキミング装置６が保護部４に設置されても、カード１を挿入方向Ｂに移動させると磁気記録媒体１ａは、その先端部１ａａからではなく、その途中からスキミング装置６を通過するため、スキミング装置６は磁気記録媒体１ａの情報を盗み取ることができなくなる。【選択図】図１
2015103211.tif 000002
【特許請求の範囲】
【請求項１】
磁気記録媒体を主面に備えるカードを受け付けて情報処理を実行する情報処理装置において、
カード挿入口に前記磁気記録媒体の読み取り方向と平行に挿入された前記カードを内部に搬送させて、前記磁気記録媒体から情報を読み取る磁気読取部と、
前記カードの一辺が前記カード挿入口への前記カードの挿入方向に摺動されて前記カードを前記カード挿入口に案内するガイド部と、
前記カード挿入口の前記カードの主面側の側部であって、前記内部に前記カードが搬送される際に前記磁気記録媒体が通過する位置に設けられた保護部と、
前記カード挿入口に対向して設けられ、前記ガイド部に前記カードの一辺が当接されると、前記磁気記録媒体の前記挿入方向の先端部近傍が前記保護部に被されるように前記カードを規制する規制部と、
を有することを特徴とする情報処理装置。
【請求項２】
前記ガイド部の前記規制部側に形成され、前記ガイド部の鉛直方向に対して前記挿入方向反対側に傾斜した傾斜面を備える傾斜部材、
をさらに有することを特徴とする請求項１記載の情報処理装置。
【請求項３】
前記規制部は、前記ガイド部の鉛直方向に対して前記挿入方向反対側に傾斜している、
ことを特徴とする請求項１記載の情報処理装置。
【請求項４】
前記カード挿入口の前記保護部と対向する位置に設けられた、前記保護部と同じ形状の別の保護部、
をさらに有することを特徴とする請求項１記載の情報処理装置。
【発明の詳細な説明】
【技術分野】
【０００１】
磁気記録媒体を備えるカードを受け付けて情報処理を実行する情報処理装置に関する。
【背景技術】
【０００２】
近年、各種情報が記憶された磁気ストライプが設けられたプラスチックカード（磁気カード）を受け付けて、当該磁気ストライプから情報を読み取り、規定の処理を実行する情報処理装置が様々な場所で利用されている。情報処理装置の一例として、金融機関等の自動取引装置（ＡＴＭ：Automated Teller Machine）、役所等で証明書を自動で交付する証明書自動交付機、デパート等で買い物額に応じたポイントを付与するポイント付与機がある。
【０００３】
また、このような情報処理装置において、磁気カードから磁気ストライプに記憶されている情報を盗み取る犯罪（スキミング：Skimming）の被害が報告されている。例えば、自動取引装置は、一般に、ユーザが磁気カードをカード挿入口に挿入すると、挿入された磁気カードはローラにより自動取引装置内に一定速度で搬入されて、磁気カードの磁気ストライプから情報の読み出しが行われる。このような自動取引装置に対するスキミングでは、カード挿入口にスキミング装置が巧妙に設置されて、ユーザにより挿入された磁気カードが自動取引装置内に搬入される際に、スキミング装置も磁気ストライプが一定速度で通過する。また、磁気ストライプの（挿入方向）先端部から末端部がスキミング装置を通過するために、スキミング装置により、磁気ストライプに記録されている口座情報等が正常に再生されて盗み取られてしまう。なお、このスキミング方法では、磁気カードの自動取引装置内への搬入時に限らず、ユーザへの返却時に外部へ搬出する場合も同様に盗み取られる。
【０００４】
このようなスキミングの対策として、例えば、自動取引装置内に磁気カードを搬入する際に、一旦逆方向に搬出させて再び搬入させる等、磁気カードが一定速度で搬入（または搬出）されないようにローラの回転を制御することが行われている（例えば、特許文献１参照）。これにより、スキミング装置に磁気ストライプの情報を正常に再生できなくすることができる。
【先行技術文献】
【特許文献】
【０００５】
【特許文献１】特許第３８０６２７１号公報
【発明の概要】
【発明が解決しようとする課題】
【０００６】
しかし、上記のスキミングの対策方法では、搬入される磁気カードを一旦逆方向に搬出させて再び搬入させるために、一旦搬出された磁気カードにユーザの指が当たってしまうおそれがあり、ユーザに操作性の不快感を与えてしまう。さらには、磁気カードが円滑に搬入されないために、ユーザに自動取引装置の故障の発生を疑わせてしまう。
【０００７】
本発明はこのような点に鑑みてなされたものであり、不快感を与えずにスキミングを防止することができる情報処理装置を提供することを目的とする。
【課題を解決するための手段】
【０００８】
本発明の一観点によれば、磁気記録媒体を主面に備えるカードを受け付けて情報処理を実行する情報処理装置において、カード挿入口に前記磁気記録媒体の読み取り方向と平行に挿入された前記カードを内部に搬送させて、前記磁気記録媒体から情報を読み取る磁気読取部と、前記カードの一辺が前記カード挿入口への前記カードの挿入方向に摺動されて前記カードを前記カード挿入口に案内するガイド部と、前記カード挿入口の前記カードの主面側の側部であって、前記内部に前記カードが搬送される際に前記磁気記録媒体が通過する位置に設けられた保護部と、前記カード挿入口に対向して設けられ、前記ガイド部に前記カードの一辺が当接されると、前記磁気記録媒体の前記挿入方向の先端部近傍が前記保護部に被されるように前記カードを規制する規制部と、を有する情報処理装置が提供される。
【発明の効果】
【０００９】
このような情報処理装置では、スキミング装置の設置を防止し、また、スキミング装置が設置されても磁気カードの磁気記録媒体から情報を盗み取ることをできなくする。
【図面の簡単な説明】
【００１０】
【図１】第１の実施の形態に係る情報処理装置の概要を説明するための図である。
【図２】情報処理装置における磁気記録媒体の読み取りを説明するための図である。
【図３】第１の実施の形態に係る別の情報処理装置を説明するための図である。
【図４】第２の実施の形態に係る自動取引装置の一例を示す外観図である。
【図５】第２の実施の形態に係る自動取引装置が備えるハードウェア構成例を示す図である。
【図６】第２の実施の形態に係る自動取引装置が備えるカード処理ユニットのカード挿入口の一例を示す図（その１）である。
【図７】第２の実施の形態に係る自動取引装置が備えるカード処理ユニットのカード挿入口の一例を示す図（その２）である。
【図８】第２の実施の形態に係る自動取引装置で実行される取引処理のフローチャート（その１）である。
【図９】第２の実施の形態に係る自動取引装置で実行される取引処理のフローチャート（その２）である。
【図１０】第２の実施の形態に係る自動取引装置の取引処理時の表示画面例を示す図である。
【図１１】第２の実施の形態に係る自動取引装置で実行されるカード搬入処理のフローチャートである。
【発明を実施するための形態】
【００１１】
以下、図面を参照して実施の形態について説明する。
［第１の実施の形態］
第１の実施の形態の情報処理装置について図１を用いて説明する。
【００１２】
図１は、第１の実施の形態に係る情報処理装置の概要を説明するための図であり、図１（Ａ）は情報処理装置１０の要部側面図、図１（Ｂ）は図１（Ａ）の一点鎖線Ｙ−Ｙにおける上部断面図をそれぞれ表している。
【００１３】
情報処理装置１０は、磁気記録媒体１ａを主面に備えるカード１を受け付けて情報処理を実行するものであり、磁気読取部２と、ガイド部３、保護部４、規制部５を備えている。
【００１４】
磁気読取部２は、カード挿入口２ａに磁気記録媒体１ａの読み取り方向と平行に挿入されたカード１を内部に搬送させて、磁気記録媒体１ａから情報を読み取る。磁気読取部２は、カード挿入口２ａから挿入されたカード１をローラの回転により一定速度で内部（挿入方向Ｂ）に搬入し、磁気カードリーダで磁気記録媒体１ａから情報を読み取る。磁気読取部２は、内部に搬入したカード１をローラの回転により外部（搬出方向Ｃ）に搬出する。また、磁気読取部２は、そのカード挿入口２ａの向きが、主面が地面に対して垂直（縦向き）または水平（横向き）のカード１に対応するようにして、情報処理装置１０に備えられている。なお、図１では、カード挿入口２ａの向きが縦方向のカード１に対応する場合を示している。
【００１５】
ガイド部３は、カード１の（図１（Ａ）中下側の）一辺がカード挿入口２ａへのカード１の挿入方向Ｂに摺動されてカード１をカード挿入口２ａに案内する。また、ガイド部３は、カード１を磁気読取部２から外部に搬出する際には搬出方向Ｃに案内する。
【００１６】
保護部４は、カード挿入口２ａのカード１の磁気記録媒体１ａが設けられた主面側の側部であって、内部にカード１が搬送される際に磁気記録媒体１ａが通過する位置に設けられている。なお、保護部４の形状は、図１（Ａ）では、楕円形の一部が利用されてはいるが、この形状に限定されず、操作方向Ａで操作されて受け入れられたカード１の磁気記録媒体１ａの挿入方向Ｂの先端部近傍が被されるような形状であれば構わない。
【００１７】
規制部５は、カード挿入口２ａに対向して設けられ、ガイド部３にカード１の一辺が当接されると、磁気記録媒体１ａの挿入方向Ｂの先端部近傍が保護部４に被されるようにカード１を規制する。
【００１８】
このような情報処理装置１０では、ユーザは、カード１を操作方向Ａに操作して、入れる。ユーザは、カード１の一辺がガイド部３に当接したら、カード１を挿入方向Ｂに移動させる。このように移動されたカード１は、カード挿入口２ａから情報処理装置１０の磁気読取部２内に一定速度で搬入される。また、情報処理装置１０の処理完了後、磁気読取部２のカード挿入口２ａからカード１が搬出されると、ユーザは、カード１を搬出方向Ｃに引き出して、カード１の（搬出方向Ｃ）末端部（図１中左側）がカード挿入口２ａから抜け出る。さらに、ユーザは、カード１を操作方向Ｄに操作して取り出すことで、カード１が返却される。
【００１９】
さらに、このような構成を有する情報処理装置１０の詳細について図１並びに図２を用いて説明する。
図２は、情報処理装置における磁気記録媒体の読み取りを説明するための図であり、図２（Ａ）は図１において保護部４が設けられていない場合、図２（Ｂ）は図１において規制部５が設けられていない場合をそれぞれ示している。
【００２０】
図１の情報処理装置１０において、保護部４が無い場合には、スキミング装置６をカード挿入口２ａに容易に設置することができる。この場合において、ユーザは、図２（Ａ）に示すように、カード１を操作方向Ａに操作し、カード１の（図２中下側の）一辺をガイド部３に当接させて、カード１を挿入方向Ｂに移動させると、磁気記録媒体１ａの先端部１ａａ（図２中左側）から末端部１ａｂ（図２中右側）がスキミング装置６を通過してしまい、スキミング装置６は磁気記録媒体１ａの情報を正常に再生できるために磁気記録媒体１ａの情報が盗み取られてしまう。
【００２１】
また、図１の情報処理装置１０において、規制部５が設けられていない場合について説明する。この際、仮に、スキミング装置６が、磁気記録媒体１ａが通過するような保護部４の箇所に設置されているものとする。ユーザは、図２（Ｂ）に示すように、操作方向Ａ１に操作してガイド部３に当接したカード１を挿入方向Ｂに移動させると、磁気記録媒体１ａの先端部１ａａから末端部１ａｂがスキミング装置６を通過してしまう。このために、スキミング装置６により磁気記録媒体１ａの情報が盗み取られてしまう。
【００２２】
さらに、情報処理装置１０において、図２（Ａ），（Ｂ）のいずれにおいても、内部に搬入したカード１をユーザに返却するために外部（搬出方向Ｃ）に搬出する場合、磁気記録媒体１ａの先端部１ａａ（図２中右側）から末端部１ａｂ（図２中左側）がスキミング装置６を通過してしまう。このため、カード１の搬出時も搬入時と同様に、スキミング装置６により磁気記録媒体１ａの情報が盗み取られてしまう。
【００２３】
一方、情報処理装置１０は、図１に示すように、磁気読取部２、ガイド部３に加えて、保護部４、規制部５を備えている。特に、保護部４は、カード挿入口２ａに設けられているために、スキミング装置６のカード挿入口２ａへの設置を防止することができる。このような情報処理装置１０において、ユーザは、図１（Ａ）に示すように、カード１を操作方向Ａに操作し、カード１の一辺がガイド部３に当接すると、カード１の末端部（図１中右側）は規制部５に規制されて、磁気記録媒体１ａの先端部１ａａ（図１中左側）は保護部４に被された状態となる。この状態から、ユーザはカード１を挿入方向Ｂに移動させて、カード１を磁気読取部２に挿入させる。ここで、図２（Ｂ）と同様に保護部４にスキミング装置６が設置されているとすれば、カード１と共に挿入方向Ｂに移動する磁気記録媒体１ａは、その先端部１ａａからではなくその途中からスキミング装置６を通過するようになる。すなわち、スキミング装置６では磁気記録媒体１ａの先端部１ａａから末端部１ａｂが通過されないために、磁気記録媒体１ａの情報を正確に再生することができず、磁気記録媒体１ａの情報を盗み取ることができない。
【００２４】
また、情報処理装置１０では、磁気読取部２の内部に搬入したカード１をユーザに返却するために、外部（搬出方向Ｃ）に搬出する際にも、磁気記録媒体１ａは、図２（Ｂ）と同様に保護部４に設置されたスキミング装置６を末端部１ａｂ（図１中右側）から、その途中までが通過する。このため、スキミング装置６は、磁気記録媒体１ａの情報を正確に再生することができず、磁気記録媒体１ａの情報を盗み取ることができない。
【００２５】
このように、上記情報処理装置１０では、カード挿入口２ａにカード１が挿入される磁気読取部２を有し、ガイド部３は、カード１の一辺が挿入方向Ｂに摺動されてカード１をカード挿入口２ａに案内し、保護部４は、カード挿入口２ａのカード１の主面側の側部であって、内部にカード１が搬送される際に磁気記録媒体１ａが通過する位置に設けられ、規制部５は、磁気記録媒体１ａの挿入方向Ｂの先端部１ａａ近傍が保護部４に被されるようにカードを規制する。これは、保護部４の端部から規制部５の端部までの距離Ｌ３は、カード１の磁気記録媒体１ａの長さＬ２より短く、Ｌ２＞Ｌ３となる。これにより、スキミング装置６のカード挿入口２ａへの設置を防止することができる。また、スキミング装置６が（磁気記録媒体１ａが通過する）保護部４に設置されたとしても、カード１を挿入方向Ｂに移動させると磁気記録媒体１ａは、その先端部１ａａからではなく、その途中からスキミング装置６を通過するようになる。このため、スキミング装置６は磁気記録媒体１ａの情報を正確に再生することができないために、磁気記録媒体１ａの情報が盗み取られることを防止することができる。ユーザは、カード１を操作方向Ａに操作し、ガイド部３に沿ってカード１を挿入方向Ｂに挿入するだけで、不快に感じずにカード１を情報処理装置１０に挿入することができる。また、情報処理装置１０からカード１をユーザに返却する際も、同様に、スキミング装置６は磁気記録媒体１ａの情報を正確に再生することができないために、磁気記録媒体１ａの情報が盗み取られることを防止することができる。
【００２６】
また、情報処理装置１０は次のような形態にすることも可能である。
図３は、第１の実施の形態に係る別の情報処理装置を説明するための図である。
なお、図３（Ａ）は、別の情報処理装置の側面図を、図３（Ｂ）は、カード１の挿入角度を説明するための図をそれぞれ表している。
【００２７】
情報処理装置１０ａでは、規制部５は、図１の情報処理装置１０において、規制部５のガイド部３に対して図３（Ａ）に示すように、ガイド部３の鉛直方向に対して挿入方向Ｂの反対側（図３（Ａ）中右側）に傾斜している。
【００２８】
このような情報処理装置１０ａでは、規制部５が傾斜することで、情報処理装置１０と比較して、カード挿入口２ａと規制部５の上部との間（図３（Ａ）中の距離Ｌ１）が広がる。このため、ユーザは、カード１を操作方向Ａ２に入れやすくなり、さらに、操作方向Ａ２がガイド部３に対して傾斜しているために、カード１の移動方向を操作方向Ａ２から挿入方向Ｂに変更しやすくなる。これは、保護部４の端部から規制部５の端部までの距離Ｌ４は、カード１の磁気記録媒体１ａの長さＬ２より短く、Ｌ１＞Ｌ２＞Ｌ４となる。このため、情報処理装置１０ａは、ユーザの操作性が向上して、情報処理装置１０と同様の効果が得られる。
【００２９】
なお、規制部５の傾斜角度は、カード１を操作方向Ａ２に操作してカード１の一辺を図３（Ａ）に示すようにガイド部３に当接させるのであれば、どのような角度であっても構わない。
【００３０】
また、カード１を挿入させる角度については、図３（Ｂ）の様に、磁気記録媒体１ａの長さＬ２だけ水平方向に移動させて、カード１の挿入角度がβ以下の角度で挿入された時、磁気記録媒体１ａは、スキミング装置により、読み取られる恐れがある。従って、磁気記録媒体１ａの幅Ｌ５が、先端部１ａａから末端部１ａｂまでが通らない角度αでカード１を挿入させて、且つ、カード１の底面が、ガイド部３に当接した時に、保護部４が磁気記録媒体１ａの先端部１ａａ周辺の一部を覆い隠す状態となっていることにより、スキミング装置が設置されていてもスキミング装置は磁気記録媒体１ａの情報を正確に再生することができない。
【００３１】
［第２の実施の形態］
第２の実施の形態では、第１の実施の形態の情報処理装置の一例として、自動取引装置を例に挙げて具体的に説明する。
【００３２】
自動取引装置について図４を用いて説明する。
図４は、第２の実施の形態に係る自動取引装置の一例を示す外観図である。
自動取引装置１００には、図４に示すように、受付画面等を表示する表示部１２０ａと、ユーザから操作入力を受け付ける入力検知部１２０ｂ、磁気カードが挿入／排出されるカード挿入口１３１、通帳が挿入／排出される通帳挿入／排出口１４１、硬貨が入出金される硬貨入出金口１５１、紙幣が入出金される紙幣入出金口１６１が設けられている。
【００３３】
さらに、このような外観である自動取引装置１００のハードウェア構成について図５を用いて説明する。
図５は、第２の実施の形態に係る自動取引装置が備えるハードウェア構成例を示す図である。
【００３４】
自動取引装置１００は、自動取引装置１００で実行される処理の制御を行う制御ユニット１１０と、ユーザからの操作入力を受け付け、また、受付画面等を表示する表示ユニット１２０を有する。また、磁気カードをカード挿入口１３１から挿入・排出するカード処理ユニット１３０と、通帳を通帳挿入／排出口１４１から挿入・排出する通帳処理ユニット１４０、硬貨を硬貨入出金口１５１から入出金する硬貨処理ユニット１５０、紙幣を紙幣入出金口１６１から入出金する紙幣処理ユニット１６０を有する。
【００３５】
制御ユニット１１０は、ＣＰＵ（Central Processing Unit）１１０ａと、ＲＡＭ（Random Access Memory）１１０ｂ、ＨＤＤ（Hard Disk Drive）１１０ｃ、グラフィック処理部１１０ｄ、通信制御部１１０ｅ、入出力インタフェース１１０ｆを備えており、これらの各部はバス１１０ｇで相互に接続されている。
【００３６】
ＣＰＵ１１０ａは、ＨＤＤ１１０ｃ等の記憶媒体に記憶された各種プログラムを実行することにより、この自動取引装置１００全体を統括的に制御する。
ＲＡＭ１１０ｂには、ＣＰＵ１１０ａに実行させるＯＳ（Operating System）並びにプログラムの少なくとも一部が一時的に格納される。また、ＲＡＭ１１０ｂには、ＣＰＵ１１０ａによる処理に必要な各種データが格納される。
【００３７】
ＨＤＤ１１０ｃには、自動取引装置１００上のＯＳやアプリケーションのプログラムが格納される。また、ＨＤＤ１１０ｃには、ＣＰＵ１１０ａによる処理に必要な各種情報が格納される。
【００３８】
グラフィック処理部１１０ｄには、表示ユニット１２０の表示部１２０ａが接続されている。グラフィック処理部１１０ｄは、ＣＰＵ１１０ａからの命令に従って所定の画面を表示ユニット１２０の表示部１２０ａに表示させる。
【００３９】
通信制御部１１０ｅは、自動取引装置１００の管理等を行う図示を省略するホストコンピュータと金融系ネットワークとをそれぞれ介して通信可能に接続されており、ホストコンピュータと信号の送受信を行う。
【００４０】
入出力インタフェース１１０ｆには、表示ユニット１２０の入力検知部１２０ｂと、カード処理ユニット１３０、通帳処理ユニット１４０、硬貨処理ユニット１５０、紙幣処理ユニット１６０が接続されている。また、入出力インタフェース１１０ｆは、可搬型記録媒体１７０への情報の書き込み、及び可搬型記録媒体１７０への情報の読み出しが可能な可搬型記録媒体インタフェースと接続可能になっている。入出力インタフェース１１０ｆは、バス１１０ｇを介してＣＰＵ１１０ａからの制御信号を各ユニットに通知し、各ユニットからの信号を同様にＣＰＵ１１０ａに通知する。
【００４１】
続いて、その他の各ユニットについて説明する。
表示ユニット１２０は、表示部１２０ａと入力検知部１２０ｂとを備え、グラフィック処理部１１０ｄと入出力インタフェース１１０ｆにそれぞれ接続されている。
【００４２】
表示部１２０ａは、グラフィック処理部１１０ｄからの画面情報に基づいて画面を表示する。
入力検知部１２０ｂは、いわゆる、タッチパネルであって、表示部１２０ａが表示する画面に対するユーザのタッチを検知する。なお、入力検知部１２０ｂが検知した画面のタッチ位置に表示されている取引内容が制御ユニット１１０のＣＰＵ１１０ａで実行される。
【００４３】
カード処理ユニット１３０は、カード挿入口１３１からユーザにより挿入された磁気カードの磁気ストライプに対して情報の読み出し等の処理を実行する。また、カード処理ユニット１３０は、読み出し等の処理が完了したら、磁気カードを搬送させてカード挿入口１３１から排出してユーザに返却する。なお、カード処理ユニット１３０のカード挿入口１３１の詳細については後述する。
【００４４】
通帳処理ユニット１４０は、通帳挿入／排出口１４１からユーザにより挿入された通帳を所定位置まで搬送し、ユーザからの取引実行指示に応じて実行された取引の履歴等を通帳の頁に印字する。また、通帳処理ユニット１４０は、取引履歴等の記録が完了した通帳を搬送して、通帳挿入／排出口１４１から排出して、ユーザに返却する。
【００４５】
硬貨処理ユニット１５０及び紙幣処理ユニット１６０は、自動取引装置１００で実行した取引に応じて、当該取引の形式に基づく金額に対応する硬貨及び紙幣の入金または出金を硬貨入出金口１５１及び紙幣入出金口１６１に対して実行する。
【００４６】
次に、カード処理ユニット１３０の構成例について図６を用いて説明する。
図６及び図７は、第２の実施の形態に係る自動取引装置が備えるカード処理ユニットのカード挿入口の一例を示す図である。
【００４７】
なお、図６（Ａ）は、カード処理ユニット１３０のカード挿入口１３１近傍の側面図、図６（Ｂ）は図６（Ａ）のカード処理ユニット１３０のカード挿入口１３１近傍の上面図をそれぞれ表している。
【００４８】
カード処理ユニット１３０は、磁気ストライプＸａを備える磁気カードＸが縦向きに搬送路１３６に沿って挿入されるカード挿入口１３１を備え、一対の第１センサ１３２ａ１，１３２ａ２、一対の第１搬送ローラ１３３ａ１，１３３ａ２、シャッタ機構１３５、一対の第２センサ１３２ｂ１，１３２ｂ２、一対の第２搬送ローラ１３３ｂ１，１３３ｂ２が内蔵されている。
【００４９】
第１センサ１３２ａ１，１３２ａ２及び第２センサ１３２ｂ１，１３２ｂ２は、受光・発光素子であって、挿入または排出される磁気カードＸを光学的に検知して磁気カードＸの挿入状態を検知する。
【００５０】
第１搬送ローラ１３３ａ１，１３３ａ２は、軸１３４ａ１，１３４ａ２に軸支されており、制御ユニット１１０により軸１３４ａ１，１３４ａ２を介して、その回転速度が制御され、第１センサ１３２ａ１，１３２ａ２または第２センサ１３２ｂ１，１３２ｂ２を通過してきた磁気カードＸを挿入方向Ｂまたは搬出方向Ｃに搬送するものである。
【００５１】
シャッタ機構１３５は、ユーザが磁気カードＸを挿入できる領域と磁気データを読み取る領域とを区別するもので、磁気データを読み取る領域に搬入した磁気カードＸを磁気カードリーダの外から物理的にアクセスできないようにするものである。
【００５２】
第２搬送ローラ１３３ｂ１，１３３ｂ２は、軸１３４ｂ１，１３４ｂ２に軸支されており、軸１３４ｂ１，１３４ｂ２を介して、その回転速度が制御されて、第２センサ１３２ｂ１，１３２ｂ２を通過してきた磁気カードＸを挿入方向Ｂに搬送し、または、搬出方向Ｃに搬出するものである。
【００５３】
なお、第１搬送ローラ１３３ａ１，１３３ａ２及び第２搬送ローラ１３３ｂ１，１３３ｂ２並びにシャッタ機構１３５は、第１センサ１３２ａ１，１３２ａ２及び第２センサ１３２ｂ１，１３２ｂ２による磁気カードＸの検出状況に応じて、制御ユニット１１０によりそれらの回転速度並びに開閉が制御される。
【００５４】
また、カード処理ユニット１３０には、カード挿入口１３１に対して、搬送路１３６と、一対の保護部１３７ａ，１３７ｂ、規制部１３８が備えられている。
搬送路１３６は、カード挿入口１３１の外部から、カード挿入口１３１を通って、カード処理ユニット１３０の内部まで通じている。このような搬送路１３６は、磁気カードＸの（図６（Ａ）中下側の）一辺がカード挿入口１３１への挿入方向Ｂに摺動されて磁気カードＸをカード挿入口１３１に案内する。また、搬送路１３６は、磁気カードＸをカード処理ユニット１３０内の所定の領域まで案内する。なお、搬送路１３６には、搬送路１３６の鉛直方向に対して挿入方向Ｂの反対側に傾斜した傾斜面を備える傾斜部材１３６ａが規制部１３８側に形成されている。
【００５５】
保護部１３７ａ，１３７ｂは、カード挿入口１３１の両側部（図６（Ｂ）参照）に搬送路１３６を挟み、間隙１３７ｃを空けて設けられている。また、保護部１３７ａ，１３７ｂは、図６（Ａ）に示されるように、磁気カードＸが間隙１３７ｃにセットされた際に、少なくとも、磁気カードＸの磁気ストライプＸａの挿入方向Ｂの先端近傍（図６（Ａ）中左側）に被さるような形状を成している。図６（Ａ）では、保護部１３７ａ，１３７ｂは間隙１３７ｃにセットされた磁気カードＸの搬出方向Ｃの上方角部（図６（Ａ）中右上部分）以外に被さり、凹部１３７ａが形成された形状を成している。なお、保護部１３７ｂ側も保護部１３７ａと同様の形状を成しているが、その記載は省略する。このような保護部１３７ａ，１３７ｂは、特に、搬送路１３６にセットされた磁気カードＸの破線領域１３６ｂ（図６（Ａ）中下側）に被さるような形状を成しているために、磁気カードＸをカード挿入口１３１に円滑に挿入させることができる。
【００５６】
規制部１３８は、カード挿入口１３１に対向して設けられ、搬送路１３６に磁気カードＸの一辺が当接されると、磁気ストライプＸａの、少なくとも挿入方向Ｂの先端部Ｘａａ近傍が保護部４に被されるように磁気カードＸを規制する。
【００５７】
このようなカード処理ユニット１３０に対する磁気カードＸの挿入及び返却について説明する。
自動取引装置１００のカード処理ユニット１３０において、ユーザが、図６（Ａ）に示すように、磁気カードＸを操作方向Ａ３に操作して間隙１３７ｃに入れると、磁気カードＸの（図６（Ａ）中下側）一辺が搬送路１３６に当接される。この際、磁気カードＸの磁気ストライプＸａの図６（Ａ）中の左側は保護部１３７ａ，１３７ｂに被さった状態となる。なお、磁気カードＸの両面に磁気ストライプがある場合には、保護部１３７ｂは、保護部１３７ａと同じ形状で形成されていた方がよい。磁気ストライプが片面のみの場合には、磁気ストライプが設けられた磁気カードＸの面側のみに保護部１３７ａがあり、対向する面は、磁気カードＸを挿入した場合は、当該磁気カードＸを保持することができる形状（図７の破線で示す保護部１３７ｂ２）であってもよい。また、磁気カードＸは、搬送路１３６の傾斜部材１３６ａにより図６（Ａ）中反時計回りに傾斜する。ユーザはこの状態から磁気カードＸを挿入方向Ｂに移動させると、磁気カードＸは、傾斜部材１３６ａによって傾斜しており、また、間隙１３７ｃにセットされた際に搬出方向Ｃの上方角部以外に被さる保護部１３７ａ，１３７ｂに案内されることからカード挿入口１３１に円滑に挿入される。保護部１３７ａ，１３７ｂは凹部１３７ａ１が形成されているために、磁気カードＸを移動させるユーザの磁気カードＸを持つ指が凹部１３７ａ１に収まり、磁気カードＸをカード挿入口１３１に確実に挿入させることができる。また、この際、カード挿入口１３１には、保護部１３７ａ，１３７ｂが設けられているために、スキミング装置の設置を防止することができる。仮に、保護部１３７ａ，１３７ｂの磁気カードＸの磁気ストライプＸａが通過する箇所にスキミング装置が設置されたとしても、磁気カードＸの磁気ストライプＸａに保護部１３７ａ，１３７ｂが被さっているために、スキミング装置に対して、磁気カードＸの磁気ストライプＸａは先端部Ｘａａではなく、その途中から末端部Ｘａｂまでが通過する。このために、スキミング装置は、磁気ストライプＸａの磁気データを正確に再生することができず、スキミング装置による磁気データの盗み取りを防止することができる。
【００５８】
また、自動取引装置１００のカード処理ユニット１３０から磁気カードＸをユーザに返却する際には、ユーザは、カード挿入口１３１から搬出方向Ｃに搬出された磁気カードＸを搬出方向Ｃに引き出す。この際、引き出される磁気カードＸは傾斜部材１３６ａにより、（搬出方向Ｃの）末端部Ｘａｂ（図６（Ａ）中右側）が持ち上がり、ユーザは、磁気カードＸを操作方向Ｄ１に操作して、取り出すことができる。この場合も、磁気カードＸの挿入時と同様に、スキミング装置の設置が防止され、また、スキミング装置からの磁気データの盗み取りを防止することができる。
【００５９】
なお、カード処理ユニット１３０でも、第１の実施の形態（図３（Ａ）を参照）と同様に、傾斜部材１３６ａを設けずに、規制部１３８を傾斜させることも可能である。
次に、このようなカード処理ユニット１３０を備える自動取引装置１００に磁気カードＸを挿入して実行される取引処理について図８〜図１０を用いて説明する。
【００６０】
なお、以下では、取引処理として支払い処理が実行される場合を例に挙げて説明する。
図８及び図９は、第２の実施の形態に係る自動取引装置で実行される取引処理のフローチャートである。
【００６１】
図１０は、第２の実施の形態に係る自動取引装置の取引処理時の表示画面例を示す図である。なお、図１０（Ａ）は、取引選択画面の一例、図１０（Ｂ）は磁気カードＸの受け付け画面の一例、図１０（Ｃ）は暗証番号・支払い金額受け付け画面の一例、図１０（Ｄ）は、支払い処理中止画面の一例をそれぞれ表している。
【００６２】
［ステップＳ１１］  制御ユニット１１０は、表示部１２０ａに、例えば、図１０（Ａ）に示されるような取引選択画面を表示させる。
［ステップＳ１２］  制御ユニット１１０は、入力検知部１２０ｂがユーザが取引選択画面の「支払い」ボタンを選択して、「ＯＫ」ボタンを押下したことを検知したか否かを判定する。
【００６３】
入力検知部１２０ｂが「支払い」ボタンが選択されて、「ＯＫ」ボタンが押下されたことを検知すると、制御ユニット１１０が、ステップＳ１３の処理を実行する。このような検知が行われるまでは、入力検知部１２０ｂは「支払い」ボタンの選択を待ち受ける。
【００６４】
［ステップＳ１３］  制御ユニット１１０は、例えば、図１０（Ｂ）に示されるような磁気カードＸの受け付け画面を表示部１２０ａに表示させて、ユーザからの磁気カードＸの受け付けを開始する。
【００６５】
［ステップＳ１４］  制御ユニット１１０は、カード処理ユニット１３０に対する磁気カードＸの受け付けを待ち受ける。
ここで、図６を用いて説明したように、ユーザが磁気カードＸをカード処理ユニット１３０の操作方向Ａ３に操作して間隙１３７ｃに入れて、磁気カードＸの一辺が搬送路１３６に当接すると磁気カードＸを挿入方向Ｂに移動させる。
【００６６】
制御ユニット１１０は、第１センサ１３２ａ１，１３２ａ２がカード挿入口１３１に挿入された磁気カードＸを検出すると、ステップＳ３０の処理を実行する。
［ステップＳ１５］  制御ユニット１１０は、磁気カードＸの受け付けを開始してから、所定の受付時間が経過したか否かを判定する。
【００６７】
制御ユニット１１０が、予め設定された受け付け時間が経過したことを判定すると、ステップＳ１１の処理を再び実行し、当該受け付け時間が経過していないことを判定するとステップＳ１４の処理を再び実行する。
【００６８】
［ステップＳ３０］  制御ユニット１１０は、カード処理ユニット１３０の第１搬送ローラ１３３ａ１，１３３ａ２、シャッタ機構１３５、第２搬送ローラ１３３ｂ１，１３３ｂ２を制御して、カード挿入口１３１に挿入された磁気カードＸをカード処理ユニット１３０の内部に搬入させる。
【００６９】
なお、ステップＳ３０の処理の詳細については後述する。
［ステップＳ１６］  制御ユニット１１０は、カード処理ユニット１３０に、内部に搬入させた磁気カードＸの磁気ストライプＸａから磁気データを読み取らせる。
【００７０】
［ステップＳ１７］  制御ユニット１１０は、ステップＳ１６の磁気データの読み取りが正常に実行されたか否かを判定する。
制御ユニット１１０は、磁気データの読み取りが正常に実行されたことを判定した場合にはステップＳ１８の処理を実行し、正常に実行されなかった場合にはステップＳ２２の処理を実行する。
【００７１】
［ステップＳ１８］  制御ユニット１１０は、例えば、図１０（Ｃ）に示されるような暗証番号及び支払い金額の入力受け付け画面を表示部１２０ａに表示して、ユーザから入力検知部１２０ｂで暗証番号及び支払い金額を受け付ける。
【００７２】
［ステップＳ１９］  制御ユニット１１０は、図示しないホストコンピュータにステップＳ１８で受け付けた暗証番号及び支払い金額を通知して、支払い取引可能か否かを問い合わせる。
【００７３】
［ステップＳ２０］  制御ユニット１１０は、ホストコンピュータからの支払い取引の可否の応答を受け付ける。
制御ユニット１１０は、ホストコンピュータから支払い取引の許可を受信すると、ステップＳ２１の処理を実行し、支払い取引の不許可を受信するとステップＳ２２の処理を実行する。
【００７４】
［ステップＳ２１］  制御ユニット１１０は、紙幣処理ユニット１６０並びに硬貨処理ユニット１５０からステップＳ１８で入力された支払い金額を出金させる。
［ステップＳ２２］  制御ユニット１１０は、例えば、図１０（Ｄ）に示すような取引中止画面を表示部１２０ａに表示させる。
【００７５】
［ステップＳ２３］  制御ユニット１１０は、カード処理ユニット１３０のシャッタ機構１３５を開放し、第１搬送ローラ１３３ａ１，１３３ａ２及び第２搬送ローラ１３３ｂ１，１３３ｂ２を回転させて、カード挿入口１３１から磁気カードＸを搬出させて、ユーザに磁気カードＸを返却する。
【００７６】
上記処理が完了すると、制御ユニット１１０は、再び、ステップＳ１１の処理を実行する。
次に、ステップＳ３０のカード搬入処理について図６並びに図１１を用いて説明する。
【００７７】
図１１は、第２の実施の形態に係る自動取引装置で実行されるカード搬入処理のフローチャートである。
［ステップＳ３１］  制御ユニット１１０は、カード挿入口１３１への磁気カードＸの挿入を第１センサ１３２ａ１，１３２ａ２が検知すると、モータを回転させる。
【００７８】
これにより、モータの回転により軸１３４ａ１，１３４ａ２及び軸１３４ｂ１，１３４ｂ２を回転駆動させて、第１搬送ローラ１３３ａ１，１３３ａ２及び第２搬送ローラ１３３ｂ１，１３３ｂ２が回転することにより、磁気カードＸを内部に搬入する。
【００７９】
［ステップＳ３２］  制御ユニット１１０は、制御してシャッタ機構１３５を開放する。
シャッタ機構１３５が開放されることにより、第１搬送ローラ１３３ａ１，１３３ａ２により磁気カードＸがシャッタ機構１３５よりも内部（図６中左側）に搬入される。
【００８０】
［ステップＳ３３］  制御ユニット１１０は、第２センサ１３２ｂ１，１３２ｂ２の磁気カードＸの検知を待ち受けて、第２センサ１３２ｂ１，１３２ｂ２が磁気カードＸの搬入を検知すると、ステップＳ３４の処理を実行する。
【００８１】
［ステップＳ３４］  制御ユニット１１０は、第２センサ１３２ｂ１，１３２ｂ２が磁気カードＸを検知してから所定の時間が経過したか否かを判定する。
制御ユニット１１０は、所定の時間が経過するのを待って、所定の時間が経過したことを判定するとステップＳ３５の処理を実行する。
【００８２】
［ステップＳ３５］  制御ユニット１１０は、第２センサ１３２ｂ１，１３２ｂ２が磁気カードＸを検知したか否かを判定する。
制御ユニット１１０は、第２センサ１３２ｂ１，１３２ｂ２が、磁気カードＸを検知（磁気カードＸが第２センサ１３２ｂ１，１３２ｂ２を搬入されて）して、磁気カードＸを検知しなくなった（磁気カードＸが第２センサ１３２ｂ１，１３２ｂ２を通過した）ことを判定すると、ステップＳ３６の処理を実行する。
【００８３】
なお、第２センサ１３２ｂ１，１３２ｂ２が磁気カードＸを検知しなくなると、磁気カードＸは内部の磁気データを読み取る領域に搬入されたことになる。
［ステップＳ３６］  制御ユニット１１０は、シャッタ機構１３５を閉鎖させる。
【００８４】
［ステップＳ３７］  制御ユニット１１０は、シャッタ機構１３５の閉鎖後、所定の時間が経過したか否かを判定する。
制御ユニット１１０は、所定の時間が経過するのを待って、所定の時間が経過したことを判定すると、ステップＳ３８の処理を実行する。
【００８５】
［ステップＳ３８］  制御ユニット１１０は、モータの回転を停止して、第１搬送ローラ１３３ａ１，１３３ａ２及び第２搬送ローラ１３３ｂ１，１３３ｂ２の回転を停止させる。
【００８６】
このようにして、図６で説明した方法で挿入された磁気カードＸは、カード処理ユニット１３０内に搬入されて、取引（支払い）処理が実行される。
なお、以上の処理内容を記述したプログラムは、制御ユニット１１０のＨＤＤ１１０ｃに格納しておくことができる。このプログラムの処理動作は、ＨＤＤ１１０ｃから読み出されてＲＡＭ１１０ｂに展開され、それをＣＰＵ１１０ａが実行することによって実現される。
【００８７】
また、以上の処理は、新たなハードウェアを追加したり既存のハードウェアを改造したりすることなく、既存のハードウェア資源をそのまま利用して実現することができる。
このように、上記自動取引装置１００は、カード挿入口１３１に磁気カードＸが挿入されるカード処理ユニット１３０を有し、搬送路１３６は、磁気カードＸの一辺が挿入方向Ｂに摺動されて磁気カードＸをカード挿入口１３１に案内し、保護部１３７ａ，１３７ｂは、カード挿入口１３１の側部であって、内部に磁気カードＸが搬送される際に磁気ストライプＸａが通過する位置に少なくとも設けられ、規制部１３８は、磁気ストライプＸａの挿入方向Ｂの先端部Ｘａａ近傍が保護部１３７ａ，１３７ｂに被されるようにカードを規制する。これにより、スキミング装置のカード挿入口１３１への設置を防止することができる。また、スキミング装置が（磁気ストライプＸａが通過する）保護部１３７ａ，１３７ｂに設置されたとしても、磁気カードＸを挿入方向Ｂに移動させると磁気ストライプＸａは、その先端部Ｘａａからではなく、その途中からスキミング装置を通過するようになる。このため、スキミング装置は磁気ストライプＸａの情報を正確に再生することができないために、磁気ストライプＸａの情報が盗み取られることを防止できる。ユーザは、磁気カードＸを操作方向Ａ３に操作し、搬送路１３６に沿って磁気カードＸを挿入方向Ｂに挿入するだけで、不快に感じずに磁気カードＸを自動取引装置１００に挿入することができる。また、自動取引装置１００から磁気カードＸをユーザに返却する際も、同様に、スキミング装置は磁気ストライプＸａの情報を正確に再生することができないために、磁気ストライプＸａの情報が盗み取られることを防止することができる。
【００８８】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成および応用例に限定されるものではない。
【符号の説明】
【００８９】
１  カード
１ａ  磁気記録媒体
２  磁気読取部
２ａ  カード挿入口
３  ガイド部
４  保護部
５  規制部
６  スキミング装置
１０  情報処理装置
【図１】
2015103211.tif 000003
【図２】
2015103211.tif 000004
【図３】
2015103211.tif 000005
【図４】
2015103211.tif 000006
【図５】
2015103211.tif 000007
【図６】
2015103211.tif 000008
【図７】
2015103211.tif 000009
【図８】
2015103211.tif 000010
【図９】
2015103211.tif 000011
【図１０】
2015103211.tif 000012
【図１１】
2015103211.tif 000013